(57)【要約】
【課題】  椅子の側面から出入りすることができる医療用椅子の肘掛フラップテーブルを提供する。
【解決手段】  椅子骨組１、肘掛桿２二本及び側板３二枚から構成される。椅子骨組１は、背もたれ桿１１両側にそれぞれ枢設台１４が設置されて肘掛桿２の一端に枢設され、枢設台１４上に横向に停止桿を差し込んで肘掛桿２一端に合わせる。肘掛桿２は、一端が枢設台１４に設置されて回転し、別端の桿面上には垂直な孔が貫設される。側板３は、カバー管３１を肘掛桿２に挿入し、カバー管３１周辺縁には板片３３が成形され、且つカバー管３１周辺縁上には相通じる調整孔３１４が設置され、肘掛桿２上縦向きの孔に対応して定位部品４で固定する。
【選択図】    図３
0003100770.tif 000002
【実用新案登録請求の範囲】
【請求項１】
背もたれ桿両側にそれぞれ枢設台が設置されて肘掛桿の一端に枢設され、枢設台上に横向に停止桿を差し込んで肘掛桿の一端に合わせられる椅子骨組と、
一端が枢設台に設置されて回転し、別端の桿面上には垂直な孔が貫設される肘掛桿と、
カバー管を肘掛桿に挿入し、カバー管の周辺縁には板片が成形され、且つカバー管の周辺縁上には相通じる調整孔が設置され、肘掛桿の上縦向きの孔に対応して定位部品で固定する側板と、
を備えることを特徴とする医療用椅子の肘掛フラップテーブル。
【請求項２】
前記側板は、縁上に係止槽が成形され、その係止槽内には係止桿が設置され、また、シート桿上には側板の係止槽に対応する掛合ユニットが設置され、側板が垂直に立った状態の時、この掛合ユニットと係止槽内の係止桿とを相互に掛合することによって定位することを特徴とする請求項１記載の医療用椅子の肘掛フラップテーブル。
【請求項３】
前記掛合ユニットは、作動桿及び作動桿に連動する鉤片を含み、鉤片を側板の係止槽内の係止桿に掛合して側板を固定することを特徴とする請求項２記載の医療用椅子の肘掛フラップテーブル。
【請求項４】
前記側板は、その相対する端にそれぞれ定位掛合孔が設置され、カバー管蓋を二つの側板に合わせて、水平時に隣合う定位掛合孔を相互に止めて定位することを特徴とする請求項１記載の医療用椅子の肘掛フラップテーブル。
【請求項５】
前記カバー管蓋には、内空の凸縁が形成され、この凸縁と側板二つの定位掛合孔とを合わせることによって二枚の側板が結合して固定されることを特徴とする請求項４記載の医療用椅子の肘掛フラップテーブル。
【請求項６】
前記側板のカバー管は、中に二つの孔道が成形され、そこに肘掛桿を被せることを特徴とする請求項１記載の医療用椅子の肘掛フラップテーブル。
【請求項７】
前記肘掛桿は、その別端桿面上に更に別の横向に開設された孔が成形されることを特徴とする請求項１記載の医療用椅子の肘掛フラップテーブル。
【考案の詳細な説明】
【技術分野】
【０００１】
本考案は、医療用椅子の肘掛フラップテーブルに関するもので、椅子両側の側面板が回転して水平のテーブル板となり、肘掛を後に上げると、体の不自由な患者でも椅子の側面から出入りすることができるものである。
【背景技術】
【０００２】
体の不自由な患者が車椅子で本を読んだり、食事したりするのに便利なように、車椅子の両側の肘掛にはテーブル板が枢設されている。使用する時には、テーブル板を回転させ、水平に置いて使用する。
【０００３】
数多くの製品の中で「車椅子の可動テーブル面構造」があり、それは、肘掛、テーブル面、定位台及び掛合台を含む。定位台を肘掛外側に固定し、掛合台をテーブル面に固定する。また、掛合台上に設置した鉤掛部を定位台の内孔嵌入して回転部を形成する。通常時、テーブル面は二つの肘掛外側に掛かっており、使用時には、テーブル面を反し、鉤掛部を回転支点とし、テーブル面を二つの肘掛上に水平に置くと、水平テーブル面ができる。
【考案の開示】
【考案が解決しようとする課題】
【０００４】
解決しようとする問題点は、下述のとおりである。
１．テーブル面は常態時、肘掛の両外側に自在に動く状態で掛かっている。このため、車椅子等で移動する時に、テーブル面は、椅子体にぶつかりやすく、また、壊れやすい。
【０００５】
２．テーブル面を二つの肘掛上に水平に置いたとき、固定されていないため、患者が手を上げた時に、不意にテーブル面を倒してしまい、テーブル面上の物が落ちてしまう。
３．テーブル面及び肘掛が椅子の側面にあるため、患者は車椅子の前方からしか座ることができず、また、車椅子前方には足置きが設置されているため、介助者が患者を座らせるのに、立つ空間がない。
【０００６】
４．テーブル面の高低及び前後は調整できない。しかし、各人それぞれの体型があり、太った人が座った場合、テーブル面と体との距離が狭すぎるため、圧迫感を感じ、快適でない。
【課題を解決するための手段】
【０００７】
本考案は、椅子骨組、肘掛桿及び側板から構成される。そのうち、椅子骨組には背もたれ桿が設置され、背もたれ桿両側にはそれぞれ枢設台が設置されて肘掛桿一端に設置される。枢設台は横向に停止桿が挿し込まれ、肘掛桿の一端を支持する。肘掛桿は枢設台に対応して持ち上げることができ、それによって患者が椅子の横から座ることができる。肘掛桿の別端桿面上には垂直と横向にそれぞれ孔が穿設され、側板にはカバー管が具わり、肘掛桿に被せられる。更に、カバー管周辺縁には相互に通じる調整孔が設置され、側板の調整孔に肘掛桿の垂直の孔を合わせ、定位部品で固定すると、側板が平面に置かれてフラップテーブルとして使用される。
【０００８】
本考案の医療用椅子の肘掛フラップテーブルは、椅子体の肘掛両側の側板を使用する時に、回転させることによって水平のテーブル面を形成し、更に、肘掛全体を上に上げることによって患者が椅子体の側面から座ることができることを最も主要な特徴とする。
更に、カバー管蓋を設置することによって、二つの側板が水平に置かれるとき、カバー管蓋の凸縁を定位掛合孔に掛合し、テーブル面が安定して固定されるという利点がある。
【考案を実施するための最良の形態】
【０００９】
椅子両側の側面板が回転して水平のテーブル板となり、肘掛を後に回転させると、体の不自由な患者でも椅子の側面から出入りするという目的を実現した。
（実施例）
図１に示すとおり、本考案の一実施例による医療用椅子の肘掛フラップテーブルは、椅子骨組１、二本の肘掛桿２、二枚の側板３及び二本の定位部品４から構成されている。
【００１０】
椅子骨組１には背もたれ桿１１及びシート桿１２が設置され、背もたれ桿１１とシート桿１２との間には別に独立した支持桿１３が成形されて予めこれらに連接される。また、背もたれ桿１１と支持桿１３との連接する箇所には枢設台１４が設置される。この枢設台１４上には横向に停止桿１４１が挿着され、また、枢設孔１４２には枢設ピン１４３が挿し込まれて後述の肘掛桿２の一端に枢設される。また、シート桿１２前端には一組の掛合ユニット１５が設置され、この掛合ユニット１５は作動桿１５１及び作動桿１５１に連動する鉤片１５２が含まれる。
【００１１】
肘掛桿２二本の別端桿面上には、垂直及び横向にそれぞれ相互に交錯する孔２１及び孔２２が穿設される。また、肘掛桿２一端の桿面上には枢設塊２３が設置され、この枢設塊２３上には貫通孔２３１が穿設され、かつ枢設塊２３１前端の桿面上には別に横向に位置制限ピン２４が設置される。枢設塊２３後方桿面上には垂直に定位栓２５が設置される。
【００１２】
側板３はカバー管３１を含み、そのカバー管３１内には二本の平行な孔道３１１と孔道３１２とが設置され、左側もしくは右側の肘掛桿２を選び、その中に入れる。カバー管３１の前端には別に外嵌合する独立したカバー管蓋３２があり、また、後端には相対し、凹んだ位置制限凹孔３１３が成形される。別にカバー管３１の周辺縁上には複数の相通じる調整孔３１４が設置され、更に、カバー管３１周辺縁からまっすぐに延びた大面積の板片３３が成型される。この板片３３の前後端にはそれぞれ定位掛合孔３４又は定位掛合孔３５が設置され、前端に近い板底縁上には複数の係止桿３３２を具えた係止槽３３１が設置される（図上では二本の係止槽を例としているが、実際には多数組を設置してもよい）。また、このカバー管蓋３２とカバー管３１との設置面上には突出した内空の凸縁３２１が成形され、表面には引環３２２を設置して引きやすくする。
【００１３】
二本の定位部品４は、適する長さの差込ピン、もしくはほぞ又はねじなどで固定する部品である。
これらの組立時、図２に示すとおり、肘掛桿２を枢設ピン１４３で枢設塊２３の貫通孔２３１に入れ、それを椅子骨組１両側の枢設台１４枢設孔１４２上に枢設する。肘掛桿２の末端部の定位栓２５を停止桿１４１下方に合わせると、肘掛桿２が水平に設置される。続いてカバー管３１の孔道３１１の一つ（もしくは、孔道３１２であり、左の肘掛桿１２か、右の肘掛桿１２かによって異なる）を肘掛桿２上に被せ、カバー管３１後端の位置制限凹孔３１３と肘掛桿２上に差込んだ位置制限ピン２４とを相互に嵌合する。側板３が肘掛桿２との距離を限定することにより、側板３が肘掛桿２に対応して同軸芯で回転しないようにする。また、カバー管３１上の適する調整孔３１４を肘掛桿２の横向の孔２２に重ね合わせ、定位部品４で横向に挿着して固定すると、二枚の側板２の板片３３は垂直に両側の肘掛桿２下方に延び、最後に掛合ユニット１５内の鉤片１５２を側板３底縁の適する係止槽３３１内に置き、係止桿３３２と相互に係止する。そして、側板３が椅子骨組１両側に垂直に定位し、椅子骨組１両側には垂直に固定された手すり板が形成される。
【００１４】
側板３のカバー管上には複数の調整孔３１４が設置され、さらに、側板３底縁には幾筋もの係止槽３３１が成形され、側板３は適する調整孔３１４と係止槽３３１とが設置されることよって側板３と肘掛桿２との距離を調整する。
【００１５】
また、本実施例の肘掛桿２は枢設ピン１４３で枢設台１４に枢設し、枢設台１４に対応して背もたれ桿１１と平行垂直に動き、患者が椅子骨組１側面から座るのを容易にする。図２及び図３に示すとおり、先ずシート桿１２上の掛合ユニット１５を引き動かし、その中の鉤片１５２を側板３底部の係止桿３３２から外すと、側板３が肘掛桿２と共に持ち上がり、背もたれ桿１１側に垂直に立つ。そして、元々側板３の調整孔３１４上に挿し込んであった定位部品４を取外し、側板３の板片３２を後方に回転させる。これによって介助者は患者を椅子骨組１の横から座らせたり、体を起こさせたりしやすくなる。
【００１６】
片側のテーブル板を使用する場合、先ず掛合ユニット１５の作動桿１５１を動かし、鉤片１５２を側板３底部の係止槽３３１内にある係止桿３３２から外し、続いて肘掛桿２の横向の孔２２内に挿してある定位部品４を外す。図４に示すとおり、側板３を垂直の状態から水平状態に反し、そして、定位部品４を側板３上の適する調整孔３１４に合わせ、肘掛桿２の垂直の孔２１に挿しこみ、側板３を水平に維持して置く。このようにして、椅子骨組１の片側肘掛桿２上にはテーブル板が形成され、患者の手に点滴を打つ場合の手の支えになったり、物を置いたりできる。
【００１７】
この他、側板３のカバー管３１上には複数の並列した調整孔３１４が設置されているため、側板３と肘掛桿２との前後距離を調整することができ、様々な体型の患者に適用できる。図５に示すとおり、先ず側板３と肘掛桿２との前後距離を調整し、最も適する調整孔３１４に肘掛桿２上の孔２１を合わせ、続いて定位部品４をその中に挿入して定位する。これによって、異なる体型の患者でも側板３を距離調整によって最も適する位置に設置できる。
【００１８】
この他、本実施例は、図６に示すように、肘掛桿２上に二つの側板３を設置する。両側の肘掛桿２上の側板３を垂直状態から水平状態に反し、カバー管３１管端に設置されていたカバー管蓋３２を取外し、それを二つの側板３の隣合う板片３１前後両端に合わせて被せる。カバー管蓋３２の内空凸縁３２１を二つの側板３端の隣合う定位掛合孔３４及び定位掛合孔３５に合わせて止める。また、二つの側板３をカバー管蓋３２で被せることによって、椅子骨組１上に安定したテーブル板を形成する。
【００１９】
本実施例の図式中の肘掛桿２は、円形の桿体であるが、実施に於いて、矩形桿、角桿又は異なる幾何学形状の桿体でも実施できる。また、カバー管３１内の孔道３１１及び孔道３１２の形状は肘掛桿２の形状に合わせて成形して実施する。
本考案は、歩行代替車及び電動車等の医療用椅子の用途にも適用できる。
【図面の簡単な説明】
【００２０】
【図１】本考案の一実施例による医療用椅子の肘掛フラップテーブルを示す分解斜視図である。
【図２】本考案の一実施例による医療用椅子の肘掛フラップテーブルを示す断面図である。
【図３】本考案の一実施例による医療用椅子の肘掛フラップテーブルの第一使用状態を示す斜視図である。
【図４】本考案の一実施例による医療用椅子の肘掛フラップテーブルの第二使用状態を示す斜視図である。
【図５】本考案の一実施例による医療用椅子の肘掛フラップテーブルの側板の前後調整を示す模式図である。
【図６】本考案の一実施例による医療用椅子の肘掛フラップテーブルの第三使用状態を示す斜視図である。
【符号の説明】
【００２１】
１  椅子骨組、２  肘掛桿、３  側板、４  定位部品、１１  背もたれ桿、１２  シート桿、１３  支持桿、１４  枢設台、１５  掛合ユニット、２１  孔、２２  孔、２３  枢設塊、２４  位置制限ピン、２５  定位栓、３１  カバー管、３２  カバー管蓋、３３  板片、３４  定位掛合孔、３５  定位掛合孔、１４１  停止桿、１４２  枢設孔、１４３  枢設ピン、１５１  作動桿、１５２  鉤片、２３１  貫通孔、３１１  孔道、３１２  孔道、３１３  位置制限孔、３１４  調整孔、３２１  凸縁、３２２  引環、３３１  係止槽、３３２  係止桿
【図１】
0003100770.tif 000003
【図２】
0003100770.tif 000004
【図３】
0003100770.tif 000005
【図４】
0003100770.tif 000006
【図５】
0003100770.tif 000007
【図６】
0003100770.tif 000008